(57)【要約】      （修正有）【課題】着脱可能な、利便性及び放熱性に優れる照明具を提供する。【解決手段】内部に形成される収容空間と、開口と、前記収容空間と連通する複数の配設孔と、前記収容空間と連通する複数の放熱孔１３と、前記開口の近傍に設けられる第１係合部材とを備える本体１０と、前記本体から露出するように配設孔に配設され、前記本体から光を放射する複数の発光ユニット２１を備える防水光源モジュール２０と、前記開口を封止するように前記本体に枢着され、前記第１係合部材に係合される第２係合部材を備えるカバーとを有する。【選択図】図１
0003158849.tif 000002
【実用新案登録請求の範囲】
【請求項１】
内部に形成される収容空間と、開口と、該収容空間と連通する複数の配設孔と、該収容空間と連通する複数の放熱孔と、該開口の近傍に設けられる第１係合部材とを備える本体と、
前記本体から露出するように配設孔に配設され、前記本体から光を放射する複数の発光ユニットを備える防水光源モジュールと、
前記開口を封止するように前記本体に枢着され、前記第１係合部材に係合される第２係合部材を備えるカバーとを有する、照明具。
【請求項２】
前記各発光ユニットは、第１側と第２側とを具備する連結部材と、該連結部材の内部に設けられる発光部材と、該連結部材の第１端に螺設され、前記本体から突出する被覆部材と、前記収容空間に位置すると共に、該連結部材の第２端に螺設され、該被覆部材と本体を挟持するスリーブと、該被覆部材と発光部材との間に設けられる防水部材と、該連結部材を被覆すると共に、被覆部材と本体の近傍に位置する緩衝リングとを有する、請求項１に記載の照明具。
【請求項３】
前記防水光源モジュールが、保持部材と、該保持部材に設置される発光ユニットとを有する、請求項１に記載の照明具。
【請求項４】
前記カバーに、空気対流を促進するための複数の貫通孔が設けられる、請求項１ないし３に記載の照明具。
【請求項５】
前記第１係合部材がリング状を呈し、前記本体に枢設される、請求項１ないし３に記載の照明具。
【請求項６】
前記第１係合部材がリング状を呈し、前記本体に枢着される、請求項４に記載の照明具。
【請求項７】
前記本体における第１係合部材の近傍にロッド部が設けられる、請求項６に記載の照明具。
【請求項８】
前記本体の外側は斜面を呈すると共に、前記配設孔は斜面を呈し、本体の外側に設けられる、請求項１ないし３に記載の照明具。
【請求項９】
前記本体の外側は斜面を呈すると共に、前記配設孔は斜面し、本体の外側に設けられる、請求項７に記載の照明具。
【考案の詳細な説明】
【技術分野】
【０００１】
本考案は、特に簡単に着脱可能な、利便性及び放熱性に優れた照明具に関する。
【背景技術】
【０００２】
発光ダイオード（ＬＥＤ）は、輝度及び省電力効果に優れるものであるので、近年では広く照明具に用いられるようになった。
【考案の開示】
【考案が解決しようとする課題】
【０００３】
しかしながら、発光ダイオードを、例えば道路照明具に適用する時は、輝度を向上させるために、１つの道路照明具に複数の発光ダイオードが設けられるので、如何にして放熱を効率よくするかが問題となっていた。また、野外に設置される道路照明具は、従来から防水性も問題も指摘されていた。
【０００４】
また、従来の発光ダイオード道路照明具は、ハウジングと、光源モジュールと、放熱ユニットとを有し、そのうちハウジングは、道路照明具の支柱に取り付けられる中空のものであり、内部に収容空間が形成されるものであり、該光源モジュールは、該ハウジングの内部の収容空間に設けられ、複数の発光ダイオードを備え、該各発光ダイオードは、一側から光線を放射するものであり、該発光ダイオードにおける光線を放射する側は、光線の放射を妨げないようにハウジングから露出されている。さらに、前記放熱ユニットは、前記ハウジングの内部に設けられると共に、前記発光ダイオードによる熱量を放熱するために、該発光ダイオードに連結される。
【０００５】
さらに、従来の発光ダイオード道路照明具は、水気による、該光源モジュールの稼働に対する妨害を防ぐために、前記光源モジュール及び放熱ユニットをハウジングの内部に収容するが、この構成によれば、ハウジングの内部の収容空間は通気性が悪いことから、放熱ユニットの放熱効率が低下して高温となるため、発光ダイオードを故障させてしまう。さらに、この密閉型のハウジングは、簡単に開けることができないので、修理が非常に面倒であった。
【０００６】
そこで、本考案は、従来の照明具における、防水効果と放熱効果との両立が困難であるという問題を改善し、利便性及び放熱性に優れた照明具を提供することを目的とする。
【課題を解決するための手段】
【０００７】
請求項１に係る考案は、内部に形成される収容空間と、開口と、該収容空間と連通する複数の配設孔と、該収容空間と連通する複数の放熱孔と、該開口の近傍に設けられる第１係合部材とを備える本体と、前記本体から露出するように配設孔に配設され、前記本体から光を放射する複数の発光ユニットを備える防水光源モジュールと、前記開口を封止するように前記本体に枢着され、前記第１係合部材に係合される第２係合部材を備えるカバーとを有する。
【０００８】
請求項２に係る考案は、前記各発光ユニットが、第１側と第２側とを具備する連結部材と、該連結部材の内部に設けられる発光部材と、該連結部材の第１端に螺設され、前記本体から突出する被覆部材と、前記収容空間に位置すると共に、該連結部材の第２端に螺設され、該被覆部材と本体を挟持するスリーブと、該被覆部材と発光部材との間に設けられる防水部材と、該連結部材を被覆すると共に、被覆部材と本体の近傍に位置する緩衝リングとを有する。
【０００９】
請求項３に係る考案は、前記防水光源モジュールが、保持部材と、該保持部材に設置される発光ユニットとを有する。
【００１０】
請求項４に係る考案は、前記カバーに、空気対流を促進するための複数の貫通孔が設けられている。
【００１１】
請求項５に係る考案は、前記第１係合部材がリング状を呈し、前記本体に枢設されている。
【００１２】
請求項６に係る考案は、前記第１係合部材がリング状を呈し、前記本体に枢着されている。
【００１３】
請求項７に係る考案は、前記本体における第１係合部材の近傍に、ロッド部が設けられている。
【００１４】
請求項８に係る考案は、前記本体の外側は斜面を呈すると共に、前記配設孔は斜面を呈し、本体の外側に設けられている。
【００１５】
請求項９に係る考案は、前記本体の外側は斜面を呈すると共に、前記配設孔は斜面し、本体の外側に設けられている。
【考案の効果】
【００１６】
本考案に係る照明具は、上記の課題を解決するもので、支柱に取り付けて、道路照明具として照明効果を提供するものであり、この照明具の本体には、複数の放熱孔が設けられるので、空気対流を促進し、防水光源モジュールの放熱性を向上させることができる。また、カバーが、第１係合部材及び第２係合部材により、開閉自在に本体に設けられると共に、発光ユニットが着脱可能に取り付けられるので、修理が非常に便利である。したがって、本考案に係る照明具は、防水効果及び放熱効果に優れるのみならず、使用上及び修理上の利便性に優れる。
【図面の簡単な説明】
【００１７】
【図１】本考案に係る照明具の実施例を示す斜視図。
【図２】本考案に係る照明具の実施例を示す分解斜視図。
【図３】本考案に係る照明具における発光ユニットの実施例を示す斜視図。
【図４】本考案に係る照明具における発光ユニットの実施例を示す分解斜視図。
【図５】本考案に係る照明具における発光ユニットの実施例を示す断面図。
【図６】本考案に係る照明具における発光ユニットの他の実施例を示す斜視図。
【図７】本考案に係る照明具の実施例を示す部分平面図。
【考案を実施するための最良の形態】
【００１８】
以下、添付図面を参照して本考案の好適な実施の形態を詳細に説明する。なお、下記実施例は、本考案の好適な実施の形態を示すにすぎず、本考案の技術的範囲は、下記実施例そのものに限定されるものではない。
【００１９】
図１及び図２に示すように、本考案に係る照明具は、本体１０と、防水光源モジュール２０と、カバー３０とを有する。
【００２０】
その内、本体１０は、内部に形成される収容空間と、開口１１と、前記収容空間と連通する複数の配設孔１２と、前記収容空間と連通する複数の放熱孔１３と、開口１１の近傍に設けられる第１係合部材１４と、支柱に結合されるロッド部１５とを備え、本体１０の外側は斜面１６を呈すると共に、配設孔１２は斜面１６を呈し、本体１０の外側に設けられている。なお、第１係合部材１４はリング状を呈し、本体１０に枢着されることが好ましい。
【００２１】
防水光源モジュール２０は、例えば係合手段などにより、配設孔１２に着脱可能に配設される複数の発光ユニット２１を備え、また、この発光ユニット２１は、本体１０から光を放射できるように、本体１０の斜面１６を呈する外側から露出するので、本考案に係る照明具の照明効果を向上できるのみならず、全体から見てデザイン性に優れる。
【００２２】
図７に示すように、カバー３０は、開口１１を封止するために本体１０に枢着されると共に、第１係合部材１４と係合される第２係合部材３１を備え、また、カバー３０に、空気対流を促進するための複数の貫通孔３２が形成されている。
【００２３】
図３ないし図５に示すように、防水光源モジュール２０は、それぞれ独立する複数の発光ユニット２１を備え、各発光ユニット２１は、第１側と第２側と内周壁における第１側の近傍に設けられる内ねじ山と内周壁における第２側の近傍に設けられる外ねじ山とを具備する連結部材２２と、連結部材２２の内部に設けられる発光ダイオードである発光部材２３と、本体１０から突出するように、前記内ねじ山により連結部材２２の第１端に螺設される被覆部材２４と、収容空間に位置すると共に、前記外ねじ山により連結部材２２の第２端に螺設され、被覆部材２４と本体１０を挟持するスリーブ２５と、発光部材２３を故障させる水気の侵入を防ぐために、被覆部材２４と発光部材２３との間に設けられる防水部材２６と、連結部材２２を被覆すると共に、被覆部材２４と本体１０の近傍に位置する緩衝リング２７とを有する。防水光源モジュール２０は、保持部材４０と、保持部材４０に設置される発光ユニット４１とを有するものであっても構わない。
【００２４】
ロッド部１５により、本体１０と支柱とを結合させれば、本考案に係る照明具を道路照明具として適用することができる。また、連結部材２２を配設孔１２に挿入させ、配設孔１２に挿入した連結部材２２をスリーブ２５で固定させることにより、互いに独立する複数の発光ユニット２１を本体１０に配置することができる。上述した使用方法によれば、本考案に係る照明具を迅速に組み合わせ、使用上の利便性を図れる。
【００２５】
さらに、発光ユニット２１は、発光部材２３の防水手段とされる防水部材２６を有するので、発光部材２３の正常な運用状態を維持するのに有利であり、また、発光ユニット２１を配置した後、本体１０の開口１１を封止するために、カバー３０の第２係合部材３１と本体１０の第１係合部材１４との係合により、カバー３０が本体１０を被う。
【００２６】
また、本考案に係る照明具を修理するときは、第２係合部材３１と第１係合部材１４とを離脱させてカバー３０を開け、スリーブ２５を緩めて、発光ユニット２１を交換する。即ち、発光ユニット２１が故障した時は、照明具全体を交換するのではなく、単に故障した発光ユニット２１のみを交換すればよいので、修理コストの低減及び修理時間の短縮に繋がる。
【産業上の利用可能性】
【００２７】
本考案に係る照明具は上記の構成を有し、防水光源モジュールにおける発光ユニットは、防水手段を有すると共に、着脱可能に本体に取り付けられるので、発光ユニットの交換及び修理を容易に行うことができる。また、カバーは、開閉自在に本体に設けられるので、修理がし易く、さらに、前記カバーに設けられる複数の貫通孔は、空気対流を促進して放熱効果を向上させるので、本考案に係る照明具の使用寿命を延長することができる。
【００２８】
さらに、本体の外側は斜面を呈することから、照明の範囲を増大させ、均一的に光線を放射することができるのみならず、外観のデザイン性にも優れるので、本考案に係る照明具は、実用性、利便性並びに美観性に優れるものである。
【符号の説明】
【００２９】
１０            本体
１１            開口
１２            配設孔
１３            放熱孔
１４            第１係合部材
１５            ロッド部
１６            斜面
２０            防水光源モジュール
２１            発光ユニット
４１            発光ユニット
２２            連結部材
２３            発光部材
２４            被覆部材
２５            スリーブ
２６            防水部材
２７            緩衝リング
３０            カバー
３１            第２係合部材
３２            貫通孔
４０            保持部材
４１            発光ユニット
【図１】
0003158849.tif 000003
【図２】
0003158849.tif 000004
【図３】
0003158849.tif 000005
【図４】
0003158849.tif 000006
【図５】
0003158849.tif 000007
【図６】
0003158849.tif 000008
【図７】
0003158849.tif 000009
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
内部に形成される収容空間と、開口と、該収容空間と連通する複数の配設孔と、該収容空間と連通する複数の放熱孔と、該開口の近傍に設けられる第１係合部材とを備える本体と、
前記本体から露出するように配設孔に配設され、前記本体から光を放射する複数の発光ユニットを備える防水光源モジュールと、
前記開口を封止するように前記本体に枢着され、前記第１係合部材に係合される第２係合部材を備えるカバーとを有する、照明具。
【請求項２】
前記各発光ユニットは、第１側と第２側とを具備する連結部材と、該連結部材の内部に設けられる発光部材と、該連結部材の第１端に螺設され、前記本体から突出する被覆部材と、前記収容空間に位置すると共に、該連結部材の第２端に螺設され、該被覆部材と本体を挟持するスリーブと、該被覆部材と発光部材との間に設けられる防水部材と、該連結部材を被覆すると共に、被覆部材と本体の近傍に位置する緩衝リングとを有する、請求項１に記載の照明具。
【請求項３】
前記防水光源モジュールが、保持部材と、該保持部材に設置される発光ユニットとを有する、請求項１に記載の照明具。
【請求項４】
前記カバーに、空気対流を促進するための複数の貫通孔が設けられる、請求項１ないし３のいずれか１項に記載の照明具。
【請求項５】
前記第１係合部材がリング状を呈し、前記本体に枢設される、請求項１ないし３のいずれか１項に記載の照明具。
【請求項６】
前記第１係合部材がリング状を呈し、前記本体に枢着される、請求項４に記載の照明具。
【請求項７】
前記本体における第１係合部材の近傍にロッド部が設けられる、請求項６に記載の照明具。
【請求項８】
前記本体の外側は斜面を呈すると共に、前記配設孔は斜面を呈し、本体の外側に設けられる、請求項１ないし３のいずれか１項に記載の照明具。
【請求項９】
前記本体の外側は斜面を呈すると共に、前記配設孔は斜面し、本体の外側に設けられる、請求項７に記載の照明具。